(57)【要約】【課題】タブ部の絡み合いに起因したタブ部の変形を回避する。【解決手段】雄端子金具Ｍは、先端部に雌端子金具Ｆと接続可能に形成された平板状のタブ部１と、このタブ部１の後部に連続し後方に向けて開口する角筒状の箱部２と、この箱部２の後方に連続し電線との接続を行うバレル部とを備えてなる。タブ部１は付け根側から先端にかけて徐々に増幅するように形成されている。このことによって、タブ部１の先端部には箱部２における前記開口の幅寸法より幅広に形成された拡幅部１４が形成される。したがって、拡幅部１４が箱部２に後方から進入しようとしても、拡幅部１４の先端が箱部２の入口部分に干渉して進入することができないから、絡みに起因した曲げ変形を未然に回避することができる。【選択図】図１
2014139891.tif 000002
【特許請求の範囲】
【請求項１】
先端部に雌端子金具と接続可能に形成された板状のタブ部と、
このタブ部の後部に連続し後方に向けて開口する角筒状の箱部と、
この箱部の後方に連続し電線との接続を行うバレル部とを備えてなる雄端子金具であって、
前記タブ部には、その先端部の幅寸法が前記箱部における前記開口の幅寸法より幅広に形成された拡幅部が形成されていることを特徴とする雄端子金具。
【請求項２】
前記タブ部は、その付け根部分から先端にかけて徐々に幅寸法が増加するように形成されていることを特徴とする請求項１記載の雄端子金具。
【請求項３】
前記雌端子金具は、請求項１又は２に記載の雄端子金具における前記タブ部が進入する角筒部を備えるとともに、この角筒部を構成する壁面のうち少なくとも一つの壁面にはその前縁から前記タブ部の進入方向に沿ってスリットが切り込まれる一方、
前記雄端子金具における前記拡幅部における側縁部は前記スリット内に嵌り込んだ状態で前記角筒部内に進入可能であることを特徴とする端子金具装置。
【請求項４】
前記タブ部が前記角筒部内に正規状態で進入したときに、前記拡幅部の側縁は前記角筒部の外面と等しいか、それより内側に位置していることを特徴とする請求項３に記載の端子金具装置。
【発明の詳細な説明】
【技術分野】
【０００１】
本発明は、雄端子金具及び端子金具装置に関するものである。
【背景技術】
【０００２】
雄端子金具は導電性の板材を折り曲げて形成されている。先端部には板状をなして延びるタブ部が形成され、雌端子金具の角筒部内に進入して電気的に接続可能となっている。雄端子金具においてタブ部の後部には角筒状をなして箱部が形成され、さらにその後方には電線との接続のためのバレル部が形成されている。箱部は後方へ開口して形成されているため、雄端子金具を束にして搬送する過程でタブ部の先端が他の雄端子金具の箱部の後方の開口へ進入し、タブ部が変形してしまう、という問題点があった。そのような問題点を解決するものとして、下記特許文献１のものが知られている。
【０００３】
このものは、箱部内の底壁から絡み防止片を立ち上げ、箱部の後部側の開口面を進入面積を狭めることでタブ部の進入を回避しようとしたものである。
【先行技術文献】
【特許文献】
【０００４】
【特許文献１】特許第３７０３０８９号公報
【発明の概要】
【発明が解決しようとする課題】
【０００５】
しかし、このものは絡み防止片の切起こしに伴い、箱部の底面に新たな開口が形成され、タブ部の先端の引っ掛かりの原因にもなりかねない、というものであった。
【０００６】
本発明は上記のような事情に基づいて完成されたものであって、タブ部の絡み合いに起因したタブ部の変形を確実に回避することができる雄端子金具、及びこの雄端子金具を備えた端子金具装置を提供することを目的とする。
【課題を解決するための手段】
【０００７】
本発明の雄端子金具は、先端部に雌端子金具と接続可能に形成された平板状のタブ部と、このタブ部の後部に連続し後方に向けて開口する角筒状の箱部と、この箱部の後方に連続し電線との接続を行うバレル部とを備えてなる雄端子金具であって、タブ部にはその先端の幅寸法が箱部における開口の幅寸法より幅広に形成された拡幅部が形成されていることを特徴とする。
また、本発明の端子金具装置は、雌端子金具は、上記の雄端子金具におけるタブ部が進入する角筒部を備えるとともに、この角筒部を構成する壁面のうち少なくとも一つの壁面にはその前縁からタブ部の進入方向に沿ってスリットが切り込まれる一方、雄端子金具における拡幅部における側縁部はスリット内に嵌り込んだ状態で角筒部内に進入可能であることを特徴とするものである。
【発明の効果】
【０００８】
本発明の雄端子金具によれば、タブ部に形成された拡幅部が、箱部の後側の開口幅より広く形成されているため、他の雄端子金具のタブ部が箱部内に進入してしまうことがない。したがって、雄端子金具同士の絡み合いに伴うタブ部の変形を未然に回避することができる。
また、本発明の端子金具装置によれば、雌端子金具にスリットを設けて拡幅部との干渉を回避するようにしたため、雌端子金具の角筒部を大型化させることなく、拡幅部の幅寸法を増大化させることができる。
【図面の簡単な説明】
【０００９】
【図１】雄端子金具の平面図
【図２】同じく側面図
【図３】同じく正面図
【図４】図１のＡ−Ａ線断面図
【図５】雌端子金具の側面図
【図６】同じく正面図
【図７】雌端子金具の角筒部の側断面図
【図８】角筒部内にタブ部が進入した状態を示す側断面図
【図９】図８のＢ−Ｂ線断面図
【発明を実施するための形態】
【００１０】
本発明における好ましい実施の形態を説明する。
（１）本発明の雄端子金具は、タブ部は、その付け根部分から先端にかけて徐々に幅寸法が増加するように形成されている構成とすることが好ましい。
このような構成に代えて、急激な幅寸法の変化を伴うと当該部位は段差形状となって、新たな絡みを生じる原因になってしまう。しかし、幅寸法長さ方向へ連続的に変化させるようにすれば、段差部位を生じることがないため、タブ部同士が絡み合うことはない。
（２）また、本発明の端子金具装置は、タブ部が前記角筒部内に正規状態で進入したときに、拡幅部の側縁は角筒部の外面と等しいか、それより内側に位置している構成であることが好ましい。
このような構成によれば、タブ部が角筒部内に進入したときに、拡幅部が角筒部から外方へ突出しないため、雌端子金具を収容する雌コネクタハウジングのキャビティ壁に干渉回避のための構成を設ける必要がない。
【００１１】
次に、本発明の雄端子金具を具体化した実施例について、図面を参照しつつ説明する。
【００１２】
＜雄端子金具Ｍ：図１〜図４参照＞
雄端子金具Ｍは導電性の金属板材を折り曲げ加工して形成されている。雄端子金具Ｍの前部は前後方向に長い板状に形成されたタブ部１が形成されている。タブ部１の後部には角筒状に形成された箱部２が形成されている。箱部２は、底壁３と、底壁３の両側部から起立する一対の側壁４と、両側壁４のうちの一方から他方の側壁４に向けて水平に折り曲げられた天井壁５と、他方の側壁４から天井壁５に重ねるようにして折り曲げられた上面壁６とから構成されている。箱部２の後面は、図１及び図４に示すように、方形状に開口している（両側壁４の内面同士の間の幅寸法：Ｗ１）。また、箱部２の幅方向両側面でやや下部寄りの高さ位置には一対のスタビライザ７が張出し形成されており、雄端子金具Ｍが上下反転した姿勢で雄コネクタハウジングのキャビティ（共に図示しない）へ挿入されるのを防止するようにしている。
【００１３】
箱部２の後方には電線８との接続を行うバレル部９が配され、箱部２との間には上方へ開口するようにして形成された連結部１０が介在されている。連結部１０は、図２に示すように、その上縁が前方へ向けて上り勾配となるように形成され、箱部２の両側壁４の後縁に対し上端からやや下方の部位に連続している。バレル部９は、電線８の芯線をかしめるワイヤバレル９Ａと、その後部に配置されゴム栓１１と共に電線８の被覆部分をかしめるインシュレーションバレル９Ｂとから構成されている。
【００１４】
前記したタブ部１の付け根側と箱部２の前端部とは接続部１２によって連結されている。接続部１２は図１に示すように、平面視で前方へ行くにつれて徐々に幅広となるように形成され、図２に示す側面視で前方へ行くにつれて徐々に幅狭となるように形成されている。また、本実施例では図２及び図３に示すように、接続部１２の下面にはタブ部１の下面にかけて所定の長さ範囲に亘って補強用のリブ１３が外方への叩き出しによって形成されている。
【００１５】
タブ部１は接続部１２の下面から連続する下板１Ａと、接続部１２の上面から連続する上板１Ｂとからなり、下板１Ａの上面に上板１Ｂを密着状態で折り重ねることによって形成されている。タブ部１は、図１に示すように、平面視で付け根側から先端側にかけて徐々に幅寸法が増加するようにして形成されている。以下、タブ部１のうち幅寸法が上記した箱部２の開口幅（Ｗ１）より幅広に形成された長さ領域（図１中、Ｓで示された長さ範囲）を拡幅部１４と呼ぶ。
【００１６】
拡幅部１４の前端面は鉛直面となっているが、上下・左右の４面は面取り１５がなされて先細り形状に形成されている。
【００１７】
＜雌端子金具Ｆ：図５〜図９参照＞
雌端子金具Ｆも雄端子金具Ｍと同様、導電性の金属板材を折曲げ加工して形成されている。雌端子金具Ｆの前部には雄端子金具Ｍのタブ部１が進入可能な角筒部１６が形成されている。角筒部１６は、底板１７と、この底板１７の幅方向両側から起立した一対の側板１８と、一方の側板１８から他方の側板１８に向けて折り曲げられた天井板１９と、他方の側板１８から折り曲げられ天井板１９に重ねられる上板２０とから前後両方向に開口する角筒状に形成されている。
【００１８】
角筒部１６内には底板１７から角筒部１６内へＵ字状に折り返されて舌片２１が形成されている。舌片２１は略山形状に形成され、上下方向に撓み可能である。舌片２１の頂部には拡幅部１４と接触するための接点部２２が形成されている。舌片２１は頂部からさらに後方へ向けて下向き勾配で延出し、底板１７から内方へ叩き出しによって形成された台部２３に対し摺接可能となっている（図３参照）。底板１７には舌片２１の頂点部へ向けて過度撓み防止片２４が切起こしによって突出形成されている。一方、天井板１９には舌片２１と対向するようにして固定接点部２５が設けられている。この固定接点部２５は所定の幅寸法をもって内方への叩き出しによって形成されている。このことにより、拡幅部１４は固定接点部２５と舌片２１の接点部２２との間で弾性的に挟み込まれた状態で接触する。
【００１９】
角筒部１６の両側板１８には、タブ部１が正規状態で角筒部１６内に進入したときに、その進入高さ位置に一対のスリット２６が設けられている。両スリット２６は角筒部１６の前端縁からタブ部１の進入方向に沿って所定の長さ範囲に亘って切り込み形成されている。両スリット２６の開口高さ（上下方向の間隔）は、図９に示すように、タブ部１の厚み寸法より僅かに大きく設定されている。また、タブ部１が角筒部１６内に正規状態（特に、幅方向の中心が揃った状態）で進入したときに、拡幅部１４の先端における幅方向両側縁が角筒部１６から外方へ突出しないよう、拡幅部１４の先端の最も幅広部位の寸法（Ｗ２：図１参照）が、角筒部１６の両側板の外面同士の間の寸法（図６に示すＷ３寸法）と等しいかあるいはやや狭めに設定されている。
【００２０】
さらに、角筒部１６の両側板においてスリット２６より下方の部位であってスリット２６の終端部寄りには一対のスタビライザ２７が張出し形成されている。両スタビライザ２７は雌端子金具Ｆが上下反転した姿勢でコネクタハウジングのキャビティ（共に図示しない）へ誤挿入されるのを防止する。
【００２１】
角筒部１６の後方には連結部２８を介してバレル部２９が配されている。バレル部２９は電線８の芯線をかしめるワイヤバレル２９Ａと、その後方に配置されゴム栓１１と共に電線８の被覆部分をかしめるインシュレーションバレル２９Ｂとから構成されている。
【００２２】
次に、上記のように構成された本実施例の作用効果を説明する。雄端子金具Ｍのタブ部１に拡幅部１４を形成し、この拡幅部１４の先端の幅寸法（Ｗ２）が拡幅部１４の後面における開口幅の寸法（Ｗ１）より幅広に設定したため、多数の雄端子金具Ｍを束ねて搬送する際においても、拡幅部１４が他の雄端子金具Ｍの箱部２内に進入してしまうことがない。したがって、箱部２への絡み合いに起因したタブ部１の変形を未然に回避することができる。また、従来とは異なり、絡み防止のために箱部２の底面に開口を生じ、これが新たな絡みの原因となるといったこともなく、確実にタブ部１の変形を抑止できる。さらに、拡幅部１４を形成したため、タブ部１に対する曲げ方向の力を受ける機会が増大したが、タブ部１の付け根部分に形成した補強用のリブ１３が、曲げに対しても有効に抗することができる。
【００２３】
また、タブ部１の幅は付け根側から先端にかけて徐々に増大するようにし、先端部のみ急激に増幅するような形態としていない。つまり、タブ部１は拡幅部１４が段差状に張り出すような形態としていないため、タブ部１同士が絡み合うといったこともない。
【００２４】
加えて、雌雄の端子金具Ｆ，Ｍがそれぞれ収容された雌雄のコネクタハウジング同士が嵌合するときには、雄端子金具Ｍのタブ部１が雌端子金具Ｆの角筒部１６内に進入する。その場合、拡幅部１４の幅方向両側縁が対応するスリット２６内に嵌り合うことで、タブ部１は位置決めされた状態で角筒部１６内に進入することができる。そして、雌雄のコネクタハウジングの嵌合が完了すれば、タブ部１は舌片２１の接点部２２と固定接点部２５との間で弾性的に挟み付けられ、電気的な接続が完了する。
【００２５】
上記のように、本実施例では雌端子金具Ｆの角筒部１６にスリット２６を設けて拡幅部１４との干渉を回避するようにしている。したがって、スリット２６を設けることなく角筒部１６内に拡幅部１４を収容する形式と比較して角筒部１６全体を小型化することができる。さらに、雌雄の端子金具が正規に接続された状態では、図９に示すように拡幅部１４の幅方向両側縁は角筒部１６から外方へ突出せず、角筒部１６の幅寸法内に収められているため、雌コネクタハウジングのキャビティが大型化することもない。
【００２６】
＜他の実施例＞
本発明は上記記述及び図面によって説明した実施例に限定されるものではなく、例えば次のような実施例も本発明の技術的範囲に含まれる。
（１）上記実施例ではタブ部１の幅寸法を付け根から先端にかけて徐々に増幅するように設定したが、付け根から先端の少し手前に至るまでの範囲を等幅に形成し、先端のみ幅方向外方へ段差状に張り出すような形態としてもよい。
（２）上記実施例ではタブ部１を平面視で左右対称形状に形成したが、片側の側縁のみを徐々に拡幅化するような非対称形状であってもよい。その場合には、雌端子金具Ｆのスリット２６も拡幅側に対応する側のみ設ければよい。
（３）上記実施例ではタブ部１を幅方向の片側から折り重ねる形態としたが、両側から折り重ね、幅方向中央で互いの端縁同士を突き合わせるような形態としてもよい。
【符号の説明】
【００２７】
１…タブ部
２…箱部
９，２９…バレル部
１４…拡幅部
１６…角筒部
２６…スリット
Ｆ…雌端子金具
Ｍ…雄端子金具
【図１】
2014139891.tif 000003
【図２】
2014139891.tif 000004
【図３】
2014139891.tif 000005
【図４】
2014139891.tif 000006
【図５】
2014139891.tif 000007
【図６】
2014139891.tif 000008
【図７】
2014139891.tif 000009
【図８】
2014139891.tif 000010
【図９】
2014139891.tif 000011